(57)【要約】      （修正有）【課題】ＩＥＥＥ８０２．１ａｈの機能を有するスイッチングハブで制御用フレームを用いて制御を可能とし、ＰＢＢ網とＰＢ網との間でも制御用フレームにて制御可能となるスイッチングハブを提供する。【解決手段】ＩＥＥＥ８０２．１ａｈの機能を有するスイッチングハブ１であって、受信した８０２．１ａｄフレームをカプセル化して８０２．１ａｈフレームとし、又は受信した８０２．１ａｈフレームをデカプセル化して８０２．１ａｄフレームとする制御部３を備え、受信した８０２．１ａｄフレームのヘッダの所定領域を参照し、制御用フレームか否かを参照する解析部５と、受信した８０２．１ａｄフレームが制御用フレームなら、該８０２．１ａｄフレームのカプセル化の際に、８０２．１ａｈフレームが制御用８０２．１ａｈフレームである旨を８０２．１ａｈフレームのヘッダに格納して、制御用８０２．１ａｈフレームを生成するフレーム生成部７とを備える。【選択図】図１
2011003968.tif 000002
【特許請求の範囲】
【請求項１】
ＩＥＥＥ８０２．１ａｈの機能を有するスイッチングハブであって、
受信した８０２．１ａｄフレームをカプセル化して８０２．１ａｈフレームとし、又は受信した８０２．１ａｈフレームをデカプセル化して８０２．１ａｄフレームとする制御部を備え、
前記制御部は、
受信した８０２．１ａｄフレームのヘッダの所定の領域を参照し、制御用フレームであるか否かを参照する解析部と、
前記受信した８０２．１ａｄフレームが制御用フレームであるとき、該８０２．１ａｄフレームをカプセル化するさいに、８０２．１ａｈフレームが制御用８０２．１ａｈフレームであることを示す値を８０２．１ａｈフレームのヘッダの所定領域に格納して、制御用８０２．１ａｈフレームを生成するフレーム生成部とを備えることを特徴とするスイッチングハブ。
【請求項２】
前記解析部は、受信した８０２．１ａｈフレームのヘッダの所定領域に制御用８０２．１ａｈフレームであることを示す値が格納されているか否かを参照し、前記受信した８０２．１ａｈフレームのデータ領域の所定領域に制御用フレームであることを示す値が格納されているか否かを参照し、
前記制御部は、前記受信した８０２．１ａｈフレームのヘッダの所定領域に制御用８０２．１ａｈフレームであることを示す値が格納されており、前記受信した８０２．１ａｈフレームのデータ領域の所定領域に制御用フレームであることを示す値が格納されている場合、データ領域に格納されている制御データに基づく制御を実行する請求項１記載のスイッチングハブ。
【請求項３】
前記フレーム生成部は、８０２．１ａｈフレームのヘッダの所定領域に制御用８０２．１ａｈフレームであることを示す値を格納すると共に、データ領域の所定領域に制御用フレームであることを示す値を格納し、データ領域に制御データを格納して、制御用８０２．１ａｈフレームを直接生成する機能を備える請求項１又は２記載のスイッチングハブ。
【請求項４】
前記解析部は、受信した制御用８０２．１ａｈフレームを自装置が接続されるＰＢＢ網内の他のスイッチングハブに転送するポートがないときに、当該制御用８０２．１ａｈフレームを破棄する請求項１〜３いずれかに記載のスイッチングハブ。
【請求項５】
ＩＥＥＥ８０２．１ａｈの機能を有するスイッチングハブであって、
８０２．１ａｈフレームを転送する制御部を備え、
前記制御部は、受信した８０２．１ａｈフレームのヘッダの所定領域に制御用８０２．１ａｈフレームであることを示す値が格納されているか否かを参照し、前記受信した８０２．１ａｈフレームのデータ領域の所定領域に制御用フレームであることを示す値が格納されているか否かを参照する解析部を備え、
前記制御部は、前記受信した８０２．１ａｈフレームのヘッダの所定領域に制御用８０２．１ａｈフレームであることを示す値が格納されており、前記受信した８０２．１ａｈフレームのデータ領域の所定領域に制御用フレームであることを示す値が格納されている場合、データ領域に格納されている制御データに基づく制御を実行することを特徴とするスイッチングハブ。
【請求項６】
前記制御部は、８０２．１ａｈフレームのヘッダの所定領域に制御用８０２．１ａｈフレームであることを示す値を格納すると共に、データ領域の所定領域に制御用フレームであることを示す値を格納し、データ領域に制御データを格納して、制御用８０２．１ａｈフレームを直接生成するフレーム生成部を備える請求項５記載のスイッチングハブ。
【発明の詳細な説明】
【技術分野】
【０００１】
本発明は、ＩＥＥＥ８０２．１ａｈの機能を有するスイッチングハブに係り、特に、制御用のフレームを用いて制御を行うことができるスイッチングハブに関するものである。
【背景技術】
【０００２】
高い信頼性を有し、大規模な広域イーサネットを提供するための方式として、ＭＡＣ（Ｍｅｄｉａ  Ａｃｃｅｓｓ  Ｃｏｎｔｒｏｌ）−ＩＮ−ＭＡＣと呼ばれるカプセル化方式を用いる技術がＩＥＥＥ８０２．１ａｈにおいて標準化されている。
【０００３】
ＩＥＥＥ８０２．１ａｈによるＰｒｏｖｉｄｅｒ  Ｂａｃｋｂｏｎｅ  Ｂｒｉｄｇｉｎｇ網（以下、ＰＢＢ網）はＩＥＥＥ８０２．１ａｄによるＰｒｏｖｉｄｅｒ  Ｂｒｉｄｇｉｎｇ網（以下、ＰＢ網）を束ねるバックボーン網となる。
【０００４】
図２（ａ）にＩＥＥＥ８０２．１ａｈに規定のフレーム（以下、８０２．１ａｈフレーム）のフォーマットを示す。８０２．１ａｈフレーム２１は、ＰＢＢ網における宛先ＭＡＣアドレスを表すＢ−ＤＡ（２２）、ＰＢＢ網における送信元ＭＡＣアドレスを表すＢ−ＳＡ（２３）、ＰＢＢ網におけるＶＬＡＮ情報を表すＢ−ＴＡＧ（２４）、ユーザ識別子の情報を含むＩ−ＴＡＧ（２５）、データ領域であるＤＡＴＡ（２６）、ＦＣＳ（２７）の各領域を備えている。
【０００５】
また、Ｉ−ＴＡＧ（２５）は、Ｉ−ＴＡＧ  ＴＰＩＤ（３１）、Ｉ−ＰＣＰ（３２）、ＵＣＡ（３３）、ＲＥＳ１（３４）、ＲＥＳ２（３５）、ユーザ識別子の情報であるＩ−ＳＩＤ（３６）、ＰＢ網における宛先ＭＡＣアドレスを表すＣ−ＤＡ（３７）、ＰＢ網における送信元ＭＡＣアドレスを現すＣ−ＳＡ（３８）の各領域を備えている。ＤＡＴＡ２６は、ＰＢ網におけるサービスＶＬＡＮ情報を表すＳ−ＴＡＧ（４１）、ユーザＶＬＡＮ情報を表すＣ−ＴＡＧ（４２）、ＥｔｈｅｒＴｙｐｅ（４３）、クライアントデータ（４４）の各領域を備えている。
【０００６】
８０２．１ａｈフレーム２１において、Ｉ−ＴＡＧ（２５）のＣ−ＤＡ（３７）以降の各領域は、ＩＥＥＥ８０２．１ａｄに規定のフレーム（以下、８０２．１ａｄフレーム）と同じものである。つまり、８０２．１ａｈフレームは、８０２．１ａｄフレームの先頭に、Ｂ−ＤＡ（２２）、Ｂ−ＳＡ（２３）、Ｂ−ＴＡＧ（２４）、Ｉ−ＴＡＧ（２５）のＩ−ＴＡＧ  ＴＰＩＤ（３１）からＩ−ＳＩＤ（３６）までの領域からなるヘッダを付加してカプセル化したものである。
【０００７】
ＩＥＥＥ８０２．１ａｈにおいて、ＰＢＢ網とＰＢ網の間を接続するスイッチングハブ（以下、エッジスイッチ）は、カプセル化又はデカプセル化を行い、８０２．１ａｄフレームと８０２．１ａｈフレームの間の変換を行う。ＰＢＢ網内のスイッチングハブ（以下、コアスイッチ）は、Ｂ−ＤＡとＢ−ＴＡＧを用いて宛先検索を行い、又Ｂ−ＳＡとＢ−ＴＡＧを用いて送信元学習を行って、８０２．１ａｈフレームを中継する。
【先行技術文献】
【特許文献】
【０００８】
【非特許文献１】ＩＥＥＥ８０２．１ａｈ
【発明の概要】
【発明が解決しようとする課題】
【０００９】
ＩＥＥＥ８０２．１ａｈでは、エッジスイッチが８０２．１ａｄフレームをカプセル化して８０２．１ａｈフレームとし、当該８０２．１ａｈフレームをＰＢＢ網へ中継するため、ＰＢＢ網内のスイッチングハブは、ＰＢ網からＰＢＢ網に向けて送信された各種の制御用のフレームを制御用のフレームとして認識できないという問題がある。
【００１０】
また、ＩＥＥＥ８０２．１ａｈでは制御用のフレームの定義がない。すなわち、ＩＥＥＥ８０２．１ａｈが規定するフレームフォーマットでは、フレームのカプセル化とデカプセル化しか考慮されておらず、そのフレームが制御用のフレームであることを示すための領域などは規定されていない。
【００１１】
そのため、ＩＥＥＥ８０２．１ａｈの機能を有するスイッチングハブでは、ＩＥＥＥ８０２．１ａｈの規格のままでは、制御用のフレームを用いて制御を行うことができない。
【００１２】
そこで、本発明の目的は、上記課題を解決し、ＩＥＥＥ８０２．１ａｈの機能を有するスイッチングハブであって、ＰＢＢ網内において制御用のフレームを用いて制御を行うことが可能となり、かつ、ＰＢＢ網とＰＢ網との間において制御用のフレームを用いた制御が可能となるスイッチングハブを提供することにある。
【課題を解決するための手段】
【００１３】
本発明は上記目的を達成するために創案されたものであり、ＩＥＥＥ８０２．１ａｈの機能を有するスイッチングハブであって、受信した８０２．１ａｄフレームをカプセル化して８０２．１ａｈフレームとし、又は受信した８０２．１ａｈフレームをデカプセル化して８０２．１ａｄフレームとする制御部を備え、前記制御部は、受信した８０２．１ａｄフレームのヘッダの所定の領域を参照し、制御用フレームであるか否かを参照する解析部と、前記受信した８０２．１ａｄフレームが制御用フレームであるとき、該８０２．１ａｄフレームをカプセル化するさいに、８０２．１ａｈフレームが制御用８０２．１ａｈフレームであることを示す値を８０２．１ａｈフレームのヘッダの所定領域に格納して、制御用８０２．１ａｈフレームを生成するフレーム生成部とを備えるスイッチングハブである。
【００１４】
また、前記解析部は、受信した８０２．１ａｈフレームのヘッダの所定領域に制御用８０２．１ａｈフレームであることを示す値が格納されているか否かを参照し、前記受信した８０２．１ａｈフレームのデータ領域の所定領域に制御用フレームであることを示す値が格納されているか否かを参照し、前記制御部は、前記受信した８０２．１ａｈフレームのヘッダの所定領域に制御用８０２．１ａｈフレームであることを示す値が格納されており、前記受信した８０２．１ａｈフレームのデータ領域の所定領域に制御用フレームであることを示す値が格納されている場合、データ領域に格納されている制御データに基づく制御を実行する。
【００１５】
また、前記フレーム生成部は、８０２．１ａｈフレームのヘッダの所定領域に制御用８０２．１ａｈフレームであることを示す値を格納すると共に、データ領域の所定領域に制御用フレームであることを示す値を格納し、データ領域に制御データを格納して、制御用８０２．１ａｈフレームを直接生成する機能を備える。
【００１６】
また、前記解析部は、受信した制御用８０２．１ａｈフレームを自装置が接続されるＰＢＢ網内の他のスイッチングハブに転送するポートがないときに、当該制御用８０２．１ａｈフレームを破棄する。
【００１７】
また、本発明は上記目的を達成するために創案されたものであり、ＩＥＥＥ８０２．１ａｈの機能を有するスイッチングハブであって、８０２．１ａｈフレームを転送する制御部を備え、前記制御部は、受信した８０２．１ａｈフレームのヘッダの所定領域に制御用８０２．１ａｈフレームであることを示す値が格納されているか否かを参照し、前記受信した８０２．１ａｈフレームのデータ領域の所定領域に制御用フレームであることを示す値が格納されているか否かを参照する解析部を備え、前記制御部は、前記受信した８０２．１ａｈフレームのヘッダの所定領域に制御用８０２．１ａｈフレームであることを示す値が格納されており、前記受信した８０２．１ａｈフレームのデータ領域の所定領域に制御用フレームであることを示す値が格納されている場合、データ領域に格納されている制御データに基づく制御を実行するスイッチングハブである。
【００１８】
また、前記制御部は、８０２．１ａｈフレームのヘッダの所定領域に制御用８０２．１ａｈフレームであることを示す値を格納すると共に、データ領域の所定領域に制御用フレームであることを示す値を格納し、データ領域に制御データを格納して、制御用８０２．１ａｈフレームを直接生成するフレーム生成部を備える。
【発明の効果】
【００１９】
本発明によれば、ＩＥＥＥ８０２．１ａｈの機能を有するスイッチングハブであって、ＰＢＢ網内において制御用のフレームを用いて制御を行うことが可能となり、かつ、ＰＢＢ網とＰＢ網との間において制御用のフレームを用いた制御が可能となるスイッチングハブを提供できる。
【図面の簡単な説明】
【００２０】
【図１】本発明の一実施形態に係るスイッチングハブのブロック図である。
【図２】（ａ）はＩＥＥＥ８０２．１ａｈで規定する８０２．１ａｈフレームの構成図であり、（ｂ）は制御用フレーム又は制御用８０２．１ａｈフレームにおけるクライアントデータの構成図である。
【図３】本発明において、ＰＢＢ網とＰＢ網の境界で障害が発生した場合のスイッチングハブの動作を説明する図である。
【図４】図３のエッジスイッチとＰＢ網側エッジスイッチを抽出し、各エッジスイッチ及びＰＢ網側エッジスイッチのポートの接続状況を示した図である。
【図５】図４において、障害発生前のＦＤＢの内容を示す図である。
【図６】図４において、復旧動作後のＦＤＢの内容を示す図である。
【図７】本発明において、ＰＢＢ網で障害が発生した場合のスイッチングハブの動作を説明する図である。
【図８】図７において、障害発生前のＦＤＢの内容を示す図である。
【図９】図７において、復旧動作後のＦＤＢの内容を示す図である。
【図１０】本発明において、ＦＤＢの再学習を指定するパラメータとしてＶＬＡＮを指定する際のクライアントデータの構成図である。
【発明を実施するための形態】
【００２１】
以下、本発明の好適な実施の形態を添付図面にしたがって説明する。
【００２２】
本発明のスイッチングハブはＩＥＥＥ８０２．１ａｈの機能を有する。本発明のスイッチングハブは、ＰＢＢ網内の設置される場所に応じて、エッジスイッチ又はコアスイッチとして機能する。
【００２３】
図１は、本実施形態に係るスイッチングハブのブロック図である。
【００２４】
図１に示すように、スイッチングハブ１は、複数のポート２と、ＩＥＥＥ８０２．１ａｈの機能を有する制御部３と、ＦＤＢ（Ｆｏｒｗａｒｄｉｎｇ  ＤａｔａＢａｓｅ）９と、冗長化プロトコルの設定などの各種のプロトコル情報を記憶するプロトコル設定保持部１０とを備える。
【００２５】
制御部３は、解析部５と、ＦＤＢアクセス部６と、フレーム生成部７と、転送部８とを備える。
【００２６】
解析部５は受信したフレームのヘッダを参照する。ＰＢ網側のポートにおいて８０２．１ａｄフレームを受信した場合、８０２．１ａｄフレームのヘッダであるＣ−ＤＡ（３７）、Ｃ−ＳＡ（３８）、Ｓ−ＴＡＧ（４１）、Ｅｔｈｅｒ  ｔｙｐｅ（４３）を参照する。ＰＢＢ網側のポートにおいて８０２．１ａｈフレームを受信した場合、８０２．１ａｈフレームのヘッダであるＢ−ＤＡ（２２）、Ｂ−ＳＡ（２３）、Ｂ−ＴＡＧ（２４）、Ｉ−ＴＡＧ（２５）を参照する。
【００２７】
解析部５は、受信した８０２．１ａｄフレームのヘッダの所定領域（本実施形態ではＥｔｈｅｒ  ｔｙｐｅ（４３））に当該８０２．１ａｄフレームが制御用フレームであることを示す値が格納されているか否かを参照する。制御用フレームであることを示す値が格納されている場合、解析部５はクライアントデータ（４４）を参照する。
【００２８】
解析部５は、受信した８０２．１ａｈフレームのヘッダの所定領域を参照し、制御用８０２．１ａｈフレームであることを示す値が格納されているか否かを参照する。制御用８０２．１ａｈフレームであることを示す値が格納されている場合、解析部５は、受信した８０２．１ａｈフレームのＤＡＴＡ（２６）の所定領域（本実施形態ではＥｔｈｅｒ  ｔｙｐｅ（４３））を参照し、制御用フレームであることを示す値が格納されているか否かを参照する。制御用フレームであることを示す値が格納されている場合、解析部５はクライアントデータ（４４）を参照する。
【００２９】
本実施形態に係るスイッチングハブ１において、８０２．１ａｈフレームのＩ−ＴＡＧ（２５）のＲＥＳ１（３４）の領域を、制御用８０２．１ａｈフレームであることを示す値を格納するヘッダの所定領域として用いる。ＩＥＥＥ８０２．１ａｈにおいて、Ｉ−ＴＡＧ（２５）のＲＥＳ１（３４）、ＲＥＳ２（３５）は予約領域とされ、これらＲＥＳ１（３４）、ＲＥＳ２（３５）は、現状では利用法が決まっていない。ただし、現状では、ＲＥＳ２（３５）が設定されていると、そのフレームは破棄されることになっている。したがって、本実施形態に係るスイッチングハブ１では、ＲＥＳ１（３４）の領域を利用する。具体的には、ＲＥＳ１（３４）の領域に０が格納されているときは、通常の８０２．１ａｈフレームであり、ＲＥＳ１（３４）の領域に１が格納されているときは、制御用８０２．１ａｈフレームであることを表すと定義する。
【００３０】
つまり、本実施形態に係るスイッチングハブ１では、解析部５が受信した８０２．１ａｈフレーム２１のＩ−ＴＡＧ（２５）のＲＥＳ１（３４）を参照して、当該８０２．１ａｈフレームが通常の８０２．１ａｈフレームであるか、あるいは制御用８０２．１ａｈフレームであるかを参照する。
【００３１】
制御用フレーム及び制御用８０２．１ａｈフレームにおけるクライアントデータ（４４）の構成図を図２（ｂ）に示す。図２（ｂ）に示すように、クライアントデータ（４４）は、制御データとして、ＯＰ＿ＣＯＤＥ（５１）、ＤＥＩ（５２）、ＯＰ＿ＣＯＤＥ毎のデータ（５３）の各領域を備え、ＯＰ＿ＣＯＤＥ毎のデータ（５３）は、さらに、ＮＵＭ（５４）、開始位置（５５）、個数（５６）などの領域を備えている。制御部３は、クライアントデータに格納される制御データの制御命令に従って、所定の動作を行う。
【００３２】
例えば、制御用フレームがＦＤＢの再学習を指示する再学習フレームである場合、ＯＰ＿ＣＯＤＥ（５１）には、０ｘ０１（再学習フレームを示す値）を格納する。再学習フレームでは、Ｃ−ＳＡ（３８）（制御用８０２．１ａｈフレームにおいてはＢ−ＳＡ（２３））を基にＦＤＢ９を更新するため、ＯＰ＿ＣＯＤＥ（５１）以降のデータは不要となる。制御部３は、再学習フレームを受信すると、Ｃ−ＳＡ（制御用８０２．１ａｈフレームにおいてはＢ−ＳＡ）により送信元学習を行って、ＦＤＢ９の登録内容を更新する。
【００３３】
解析部５は、受信した制御用８０２．１ａｈフレームをＰＢＢ網の他のスイッチングハブに転送するポートがないときに、当該制御用８０２．１ａｈフレームを破棄する機能を備えている。すなわち、解析部５は、制御用８０２．１ａｈフレームをＰＢ網に転送することなく、これを破棄する機能を備えている。
【００３４】
ＦＤＢアクセス部６は、ＦＤＢ９にアクセスして以下のように宛先検索及び送信元学習を行う。
【００３５】
（スイッチングハブ１をエッジスイッチとして用いる場合）
ＰＢ網側のポートにおいて８０２．１ａｄフレームを受信したとき、ＦＤＢアクセス部６は解析部５が参照したＣ−ＤＡ（３７）によりＦＤＢ９を検索して、転送先のポートとＢ−ＤＡ（２２）を求める。また、ＦＤＢアクセス部６は解析部５が参照したＣ−ＳＡ（３８）を受信したポートと対応付けてＦＤＢ９に登録する。
【００３６】
ＰＢＢ網側のポートにおいて８０２．１ａｈフレームを受信したとき、ＦＤＢアクセス部６は解析部５が参照したＩ−ＴＡＧ（２５）内のＣ−ＤＡ（３７）によりＦＤＢ９を検索して、転送先のポートを求める。また、ＦＤＢアクセス部６は解析部５が参照したＢ−ＳＡ（２３）とＣ−ＳＡ（３８）を受信したポートと対応付けてＦＤＢ９に登録する。
【００３７】
（スイッチングハブ１をコアスイッチとして用いる場合）
ＰＢＢ網側のポートにおいて８０２．１ａｈフレームを受信したとき、ＦＤＢアクセス部６は解析部５が参照したＢ−ＤＡ（２２）によりＦＤＢ９を検索して、転送先のポートを求める。また、ＦＤＢアクセス部６は解析部５が参照したＢ−ＳＡ（２３）を受信したポートと対応付けてＦＤＢ９に登録する。
【００３８】
フレーム生成部７は、フレームのカプセル化やデカプセル化を行い、８０２．１ａｈフレームと８０２．１ａｄフレームの間の変換を行う。
【００３９】
フレーム生成部７は、受信した８０２．１ａｄフレームが制御用フレームであるとき、当該８０２．１ａｄフレームをカプセル化するさいに、８０２．１ａｈフレームが制御用８０２．１ａｈフレームであることを示す値を８０２．１ａｈフレームのヘッダの所定領域に格納して、制御用８０２．１ａｈフレームを生成する機能を備えている。
【００４０】
また、フレーム生成部７は、制御用８０２．１ａｈフレームを直接生成する機能を備えている。
【００４１】
転送部８は、ＦＤＢアクセス部６の宛先検索で求めた転送先のポートへフレームを転送する。
【００４２】
ＦＤＢ９は、スイッチングハブ１をエッジスイッチとして用いる場合、ポートとＰＢ網のＭＡＣアドレスとＰＢＢ網のＭＡＣアドレスを対応付けた登録内容を有する。ＦＤＢ９は、スイッチングハブ１をコアスイッチとして用いる場合、ポートとＰＢＢ網のＭＡＣアドレスを対応付けた登録内容を有する。
【００４３】
プロトコル設定保持部１０は、各種のプロトコル情報を記憶する。プロトコル情報は、制御部３がプロトコルに従って動作するための設定情報である。
【００４４】
本実施形態に係るスイッチングハブ１では、プロトコル設定保持部１０に冗長化プロトコルが記憶されている。冗長化プロトコルは、複数のポート２に対して現用ポートと待機ポートを設定し、通常時は現用ポートを用いてフレームの中継を行い、現用ポートにおいて障害が発生したとき、使用するポートを待機ポートに切り替えるものである。また、使用するポートを待機ポートに切り替えたさい、制御用８０２．１ａｈフレームとしてＦＤＢの再学習を指示する再学習フレームを生成して、待機ポートから送信する。
【００４５】
次に、スイッチングハブ１の動作について説明する。
【００４６】
（スイッチングハブ１がＰＢ網から８０２．１ａｄフレームを受信した場合）
スイッチングハブ１がポート２で８０２．１ａｄフレームを受信すると、その８０２．１ａｄフレームは解析部５に転送される。解析部５は、受信した８０２．１ａｄフレームのヘッダのＣ−ＤＡ（３７）、Ｃ−ＳＡ（３８）、Ｓ−ＴＡＧ（４１）、Ｅｔｈｅｒ  ｔｙｐｅ（４３）を参照する。
【００４７】
ＥｔｈｅｒＴｙｐｅ（４３）に当該８０２．１ａｄフレームが制御用フレームであることを示す値が格納されていない場合、当該８０２．１ａｄフレームはＦＤＢアクセス部６に転送され、ＦＤＢアクセス部６にてＣ−ＤＡ（３７）によりＦＤＢ９を検索して、Ｂ−ＤＡ（２２）の情報を取得すると共に、送信するポート２を決定する。
【００４８】
その後、フレーム生成部７にて、当該８０２．１ａｄフレームのカプセル化を行う。このとき、ＦＤＢ９より取得したＢ−ＤＡ（２２）、Ｂ−ＳＡ（２３）、Ｂ−ＴＡＧ（２４）、Ｉ−ＴＡＧ（２５）を当該８０２．１ａｄフレームに付加して８０２．１ａｈフレームに変換する。Ｂ−ＳＡ（２３）の値はスイッチングハブ１に設定されているＰＢＢ網のＭＡＣアドレスである。フレーム生成部７にて生成された８０２．１ａｈフレームは、転送部８に転送される。転送部８は、ＦＤＢアクセス部６にて決定した転送先のポート２に当該８０２．１ａｈフレームを転送する。転送先のポート２から当該８０２．１ａｈフレームはＰＢＢ網の他のスイッチングハブに向けて送信される。
【００４９】
他方、解析部５が、ＥｔｈｅｒＴｙｐｅ（４３）に当該８０２．１ａｄフレームが制御用フレームであることを示す値が格納されている場合、制御部３は、その制御用フレームのクライアントデータ（４４）に含まれる制御データ（ＯＰ＿ＣＯＤＥ（５１）やＯＰ＿ＣＯＤＥ毎のデータ（５３））に基づき、制御命令を実行する。例えば、制御用フレームが再学習フレームである場合は、ＦＤＢアクセス部６にてその命令を実行することによって、ＦＤＢ９の再学習を実行する。
【００５０】
その後、フレーム生成部７にてカプセル化を行い、制御用８０２．１ａｈフレームを生成する。このとき、８０２．１ａｈフレームのヘッダのＲＥＳ１（３４）の領域に１を格納する。また、スイッチングハブ１に設定されているＰＢＢ網のＭＡＣアドレスをＢ−ＳＡ（２３）に格納する。Ｂ−ＤＡ（２２）には、ローカルなマルチキャストアドレスを格納する。フレーム生成部７にて生成された制御用８０２．１ａｈフレームは、転送部８に転送され、ＰＢＢ網内の他のスイッチングハブに向けて送信される。
【００５１】
（スイッチングハブ１がＰＢＢ網から８０２．１ａｈフレームを受信した場合）
スイッチングハブ１がポート２で８０２．１ａｈフレームを受信すると、そのフレームは解析部５に転送される。解析部５は、受信した８０２．１ａｈフレームのヘッダを参照する。このとき、解析部５は、Ｉ−ＴＡＧ（２５）のＲＥＳ１（３４）の領域を参照する。
【００５２】
解析部５は、ＲＥＳ１（３４）の領域に制御用８０２．１ａｈフレームであることを示す１が格納されている場合、ＤＡＴＡ（２６）のＥｔｈｅｒＴｙｐｅ（４３）を参照する。
【００５３】
ＥｔｈｅｒＴｙｐｅ（４３）に制御用フレームであることを示す値が格納されている場合、解析部５はクライアントデータ（４４）を参照する。制御部３は、クライアントデータ（４４）に含まれる制御データに基づき、制御命令を実行する。例えば、制御用８０２．１ａｈフレームが再学習フレームである場合は、ＦＤＢアクセス部６にてその命令を実行することによって、ＦＤＢ９の再学習を実行する。
【００５４】
その後、制御用８０２．１ａｈフレームは、転送部８に転送され、ポート２からＰＢＢ網内の他のスイッチングハブに向けて送信される。このとき、制御用８０２．１ａｈフレームをＰＢＢ網の他のスイッチングハブに転送するポートがないときは、当該制御用８０２．１ａｈフレームは、解析部５にて破棄される。
【００５５】
８０２．１ａｈフレームのヘッダのＲＥＳ１（３４）の領域に制御用８０２．１ａｈフレームであることを示す１が格納されていない場合（通常の８０２．１ａｈフレームである）場合、解析部５は、その８０２．１ａｈフレームのＢ−ＤＡ（２２）を参照し、Ｂ−ＤＡ（２２）に格納されているＭＡＣアドレスが自装置に設定されているＰＢＢ網のＭＡＣアドレスであるか否かを参照する。
【００５６】
Ｂ−ＤＡ（２２）に格納されているＭＡＣアドレスが自装置に設定されているＰＢＢ網のＭＡＣアドレスでない場合、８０２．１ａｈフレームは、ＦＤＢアクセス部６にてＦＤＢ９を参照して転送先のポート２を決定した後、その決定したポート２よりＰＢＢ網内の他のスイッチングハブに向けて送信される。
【００５７】
Ｂ−ＤＡ（２２）に格納されているＭＡＣアドレスが自装置に設定されているＰＢＢ網のＭＡＣアドレスである場合、Ｃ−ＤＡ（３７）によりＦＤＢ９を検索して転送先のポートを求め、フレーム生成部７は当該８０２．１ａｈフレームをデカプセル化して８０２．１ａｄフレームとして転送部８に転送し、転送部８は転送先のポート２よりＰＢ網にフレームを送信する。
【００５８】
８０２．１ａｈフレームのヘッダのＲＥＳ１（３４）の領域に制御用８０２．１ａｈフレームであることを示す１が格納されており、ＥｔｈｅｒＴｙｐｅ（４３）に制御用フレームであることを示す値が格納されていない場合、当該８０２．１ａｈフレームを通常のフレームとして転送する。又は、ＲＥＳ１（３４）の領域に１を格納することにより本実施形態とは別に規定された所定の動作を実行する。
【００５９】
また、スイッチングハブ１は、ＰＢＢ網において障害が発生し、これを検知した場合などに、制御用８０２．１ａｈフレームを直接生成して送信することができる。
【００６０】
この場合、障害を検知したスイッチングハブ１は、解析部５にて障害検知ポートとプロトコル設定保持部１０に記憶された冗長化プロトコルの設定を取得すると共に、フレーム生成部７にて再学習フレームとしての制御用８０２．１ａｈフレームを直接生成する。フレーム生成部７にて生成された制御用８０２．１ａｈフレームは、転送部８に転送され、ポート２からＰＢＢ網内の他のスイッチングハブに送信される。
【００６１】
図３に、ＩＥＥＥ８０２．１ａｈにおけるＰＢ網とＰＢＢ網の一構成例を示す。
【００６２】
図３において、エッジスイッチ３０１〜３０３、コアスイッチ３０４，３０５は本発明のスイッチングハブ１である。これらスイッチングハブ３０１〜３０５により、ＰＢＢ網３０６が構成されている。エッジスイッチ３０１は、ＰＢ網３０７のＰＢ網側エッジスイッチ３０８を介して端末３０９に、コアスイッチ３０４を介してエッジスイッチ３０２に、コアスイッチ３０５を介してエッジスイッチ３０３にそれぞれ接続されている。また、エッジスイッチ３０２，３０３は、ＰＢ網３１０のＰＢ網側エッジスイッチ３１１を介して端末３１２と接続されている。
【００６３】
ＰＢＢ網３０６のＰＢ網３０７，３１０との境界に配置されるエッジスイッチ３０１〜３０３は、ＰＢ網３０７，３１０からの８０２．１ａｄフレームをカプセル化し、８０２．１ａｈフレームとしてＰＢＢ網３０６へ転送し、ＰＢＢ網３０６の８０２．１ａｈフレームをデカプセル化して８０２．１ａｄフレームとしてＰＢ網３０７，３１０へ転送する。
【００６４】
ＰＢＢ網３０６の内部に配置される（ＰＢ網３０７，３１０との境界に配置されない）コアスイッチ３０４，３０５は、８０２．１ａｈフレームのＢ−ＤＡ（２２）、Ｂ−ＴＡＧ（２４）を参照して、８０２．１ａｈフレームを転送する。
【００６５】
図４は、図３においてエッジスイッチのみを抽出し、各エッジスイッチのポートの接続状況を示した図である。
【００６６】
図４に示すように、エッジスイッチ３０１のポート４０１は、ＰＢ網３０７のＰＢ網側エッジスイッチ３０８のポート４０９に接続されている。ＰＢ網側エッジスイッチ３０８のポート４０８は端末３０９に接続されている。
【００６７】
エッジスイッチ３０１のポート４０２は、エッジスイッチ３０２のポート４０４に接続されている。また、エッジスイッチ３０１のポート４０３はエッジスイッチ３０３のポート４０６に接続されている。
【００６８】
エッジスイッチ３０２のポート４０５は、ＰＢ網３１０のＰＢ網側エッジスイッチ３１１のポート４１０に接続されている。また、エッジスイッチ３０３のポート４０７は、ＰＢ網３１０のＰＢ網側エッジスイッチ３１１のポート４１１に接続されている。ＰＢ網側エッジスイッチ３１１のポート４１２は端末３１２に接続されている。
【００６９】
ここでは、ＰＢ網側エッジスイッチ３１１は、冗長化プロトコルにより、ポート４１０を現用ポート、ポート４１１を待機ポートとして動作しているとする。端末３０９，３１２間で送受信するフレームは、エッジスイッチ３０２経由にて送受信される。この場合、エッジスイッチ３０１，３０２，３０８，３１１におけるＦＤＢ９の登録状態は、図５のようになる。図５では、ポート番号及びＭＡＣアドレスは図４に付した符号で表してある。
【００７０】
この状態で、エッジスイッチ３０２とＰＢ網側エッジスイッチ３１１との間の回線に障害Ｘが発生したときの復旧動作を説明する。
【００７１】
（１）障害検知
ポート４０５、４１０間の回線に障害Ｘが発生したとき、ＰＢ網側エッジスイッチ３１１は、ポート４１０における障害発生を検知し、中継先ポートをポート４１１に切り替える。
【００７２】
（２）再学習フレームを送信
ＰＢ網側エッジスイッチ３１１は、再学習フレームである制御用フレームの８０２．１ａｄフレームを生成する。Ｃ−ＳＡ（３８）のＭＡＣアドレスは３１２であり、Ｃ−ＤＡ（３７）のＭＡＣアドレスは３０９となる。ＥｔｈｅｒＴｙｐｅ（４３）には制御用フレームであることを示す値を格納する。ＯＰ＿ＣＯＤＥ（５１）には、０ｘ０１（再学習フレームであることを示す値）を格納する。再学習フレームは、再学習フレームを受信したスイッチングハブは再学習フレームのＣ−ＳＡ（３８）を基にＦＤＢ９を更新するため、ＯＰ＿ＣＯＤＥ（５１）以後のデータは不要となる。エッジスイッチ３１１は、ポート４１１からエッジスイッチ３０３のポート４０７に向けて、当該８０２．１ａｄフレームを送信する。
【００７３】
（３）エッジスイッチ３０３にてＦＤＢの再学習を実施
ポート４０７にて当該８０２．１ａｄフレームを受信したエッジスイッチ３０３は、解析部５にて当該８０２．１ａｄフレームのヘッダを参照する。
【００７４】
ＥｔｈｅｒＴｙｐｅ（４３）に制御用フレームであることを示す値が格納されているため、再学習フレームであることを示す制御データの制御命令に従い、ＦＤＢアクセス部６にてＦＤＢ９の再学習を実行する。再学習によりＦＤＢ９に、ＭＡＣアドレス３１２とポート４０７が対応付けて登録される。
【００７５】
（４）制御用８０２．１ａｈフレームの送信
エッジスイッチ３０３は、フレーム生成部７において、Ｂ−ＳＡ（２３）にエッジスイッチ３０３に設定されたＰＢＢ網のＭＡＣアドレス、ここではポート４０７のＭＡＣアドレス４０７を格納し、Ｂ−ＤＡ（２２）はローカルなマルチキャストアドレスの値を格納し、Ｉ−ＴＡＧ（２５）のＲＥＳ１（３４）に１を格納した８０２．１ａｈフレームのヘッダを、当該８０２．１ａｄフレームに付加して、制御用８０２．１ａｈフレームを生成する。エッジスイッチ３０３は、生成した制御用８０２．１ａｈフレームを転送部８からポート４０６へ転送することにより、エッジスイッチ３０１へ当該制御用８０２．１ａｈフレームを送信する。
【００７６】
（５）制御用８０２．１ａｈフレームの受信とＦＤＢの再学習の実施
エッジスイッチ３０１は、ポート４０３にて当該制御用８０２．１ａｈフレームを受信する。エッジスイッチ３０１の解析部５は、受信した当該制御用８０２．１ａｈフレームのヘッダを参照し、ヘッダのＩ−ＴＡＧ（２５）内のＲＥＳ１（３４）に１が格納されており、ＤＡＴＡ（２６）のＥｔｈｅｒＴｙｐｅ（４３）に制御用フレームであることを示す値が格納されていることを参照する。解析部５は、クライアントデータ４４の制御データを参照し、再学習フレームであることを示す制御データの制御命令に従い、ＦＤＢアクセス部６はＦＤＢ９の再学習を実行する。ＦＤＢアクセス部６は、当該制御用８０２．１ａｈフレームのＢ−ＳＡ（２３）に格納されているＭＡＣアドレス４０７とポート４０３を対応付けてＦＤＢ９に登録する。
【００７７】
（６）制御用８０２．１ａｈフレームの転送
エッジスイッチ３０１は、転送部８からＰＢ網３０７以外の他ポートであるポート４０２へ転送し、エッジスイッチ３０２に制御用８０２．１ａｈフレームを送信する。
【００７８】
（７）エッジスイッチ３０２にて（５）、（６）と同様の操作を実施する。これにより、ＰＢＢ網３０６内の各エッジスイッチ３０１〜３０３におけるＦＤＢ９が更新される。最終的には、ネットワーク全体として図６に示すようなＦＤＢ９が作成され、フレームの経路が切り替わる。
【００７９】
次に、ＰＢＢ網内の回線に障害が発生したときの復旧動作を説明する。
【００８０】
図７に、ＩＥＥＥ８０２．１ａｈにおけるＰＢ網とＰＢＢ網の一構成例を示す。図７において、エッジスイッチ７０１，７０４、コアスイッチ７０２，７０３は本発明のスイッチングハブ１である。これらスイッチングハブ７０１〜７０４により、ＰＢＢ網７０５が構成されている。
【００８１】
エッジスイッチ７０１のポート８０１は、ＰＢ網７０６のＰＢ網側エッジスイッチ７０７のポート８１２に接続されている。ＰＢ網側エッジスイッチ７０７のポート８１１は端末７０８に接続されている。エッジスイッチ７０１のポート８０２はコアスイッチ７０２のポート８０４に、ポート８０３はコアスイッチ７０３のポート８０６にそれぞれ接続されている。
【００８２】
エッジスイッチ７０４のポート８１０は、ＰＢ網７０９のＰＢ網側エッジスイッチ７１０のポート８１３に接続されている。ＰＢ網側エッジスイッチ７１０のポート８１４は端末７１１に接続されている。エッジスイッチ７０４のポート８０８はコアスイッチ７０２のポート８０５に、ポート８０９はコアスイッチ７０３のポート８０７にそれぞれ接続されている。
【００８３】
ここでは、エッジスイッチ７０４は、冗長化プロトコルにより、ポート８０８を現用ポート、ポート８０９を待機ポートとして動作しているとする。端末７０８，７１１間で送受信するフレームは、エッジスイッチ７０２経由にて送受信される。この場合、スイッチングハブ７０１，７０２，７０４，７０７，７１０におけるＦＤＢ９の登録状態は、図８のようになる。図８では、ポート番号及びＭＡＣアドレスは図７に付した符号で表してある。
【００８４】
この状態で、コアスイッチ７０２とエッジスイッチ７０４との間の回線に障害Ｙが発生したときの復旧動作を説明する。
【００８５】
（１）障害検知
ポート８０５、８０８間の回線に障害Ｙが発生したとき、エッジスイッチ７０４は、ポート８０８における障害発生を検知し、中継先ポートをポート８０９に切り替える。
【００８６】
（２）再学習フレームを送信
エッジスイッチ７０４は、そのフレーム生成部７にて、再学習フレームである制御用８０２．１ａｈフレームを生成する。アドレスＢ−ＳＡ（２３）はエッジスイッチ７０４に設定されているＰＢＢ網のＭＡＣアドレス、ここではポート８１０のＭＡＣアドレス８１０が格納され、アドレスＢ−ＤＡ（２２）はローカルなマルチキャストアドレスの値が格納され、Ｉ−ＴＡＧ（２５）のＲＥＳ１（３４）には１が格納される。また、ＥｔｈｅｒＴｙｐｅ（４３）には制御用フレームであることを示す値を格納する。ＯＰ＿ＣＯＤＥ（５１）には、０ｘ０１（再学習フレームであることを示す値）を格納する。エッジスイッチ７０４は、生成した制御用８０２．１ａｈフレームを転送部８にてポート８０９に転送し、コアスイッチ７０３のポート８０７に向けて、当該制御用８０２．１ａｈフレームを送信する。
【００８７】
（３）コアスイッチ７０３にてＦＤＢ再学習を実施
コアスイッチ７０３は、ポート８０７で当該制御用８０２．１ａｈフレームを受信する。コアスイッチ７０３の解析部５は、当該制御用８０２．１ａｈフレームのヘッダを参照し、ヘッダのＩ−ＴＡＧ（２５）内のＲＥＳ１（３４）に１が格納されており、ＤＡＴＡ（２６）のＥｔｈｅｒＴｙｐｅ（４３）に制御用フレームであることを示す値が格納されていることを参照する。
【００８８】
解析部５は、クライアントデータ４４の制御データを参照し、再学習フレームであることを示す制御データの制御命令に従い、ＦＤＢアクセス部６はＦＤＢ９の再学習を実行する。ＦＤＢアクセス部６は、当該制御用８０２．１ａｈフレームのＢ−ＳＡ（２３）に格納されているＭＡＣアドレス８１０とポート８０７を対応付けてＦＤＢに登録する。
【００８９】
（４）制御用８０２．１ａｈフレームの転送
コアスイッチ７０３は、ポート８０６からエッジスイッチ７０１のポート８０３に制御用８０２．１ａｈフレームを送信する。
【００９０】
（５）エッジスイッチ７０１にて、（３）と同様の操作を実施し、ポート８０２からコアスイッチ７０２のポート８０４に制御用８０２．１ａｈフレームを送信する。
【００９１】
（６）コアスイッチ７０２にて（３）と同様の操作を実施する。
【００９２】
これにより、各スイッチングハブ７０１〜７０４におけるＦＤＢ９が更新される。最終的には、ネットワーク全体として図９に示すようなＦＤＢ９が作成され、フレームの経路が切り替わる。
【００９３】
本実施形態の効果を説明する。
【００９４】
本実施形態に係るスイッチングハブ１では、ＩＥＥＥ８０２．１ａｈの機能を有するスイッチングハブにおいて、受信した８０２．１ａｄフレームのヘッダを参照して、当該８０２．１ａｄフレームが制御用フレームであるか否かを参照する解析部５と、受信した８０２．１ａｄフレームが制御用フレームであるとき、当該８０２．１ａｄフレームをカプセル化するさいに、８０２．１ａｈフレームが制御用８０２．１ａｈフレームであることを示す値を８０２．１ａｈフレームのヘッダの所定領域（ＲＥＳ１（３４））に格納して、制御用８０２．１ａｈフレームを生成するフレーム生成部７とを備える制御部３を備えている。
【００９５】
これにより、スイッチングハブ１がＰＢ網から再学習フレームなどの制御用フレームである８０２．１ａｄフレームを受信したときに、制御用フレームであることを認識し、当該８０２．１ａｄフレームをカプセル化して制御用８０２．１ａｈフレームを生成することが可能になる。
【００９６】
したがって、ＩＥＥＥ８０２．１ａｈの機能を有したスイッチングハブによって構成されるＰＢＢ網内にある任意のスイッチングハブに対して、スイッチングハブの動作を制御する制御用８０２．１ａｈフレームの送信が可能になる。
【００９７】
さらに、本実施形態では、ＩＥＥＥ８０２．１ａｈの機能を有した８０２．１ａｈフレームの予約フィールド（ＲＥＳ１（３４））を利用しているため、ＰＢＢ網に、ＲＥＳ１（３４）を参照できないスイッチングハブが含まれる場合であっても、当該スイッチングハブでは通常のフレーム処理が実施されるため、当該スイッチングハブへ影響を及ぼすことがない。
【００９８】
また、本実施形態では、スイッチングハブ１の解析部５が、受信した８０２．１ａｈフレームのヘッダの所定領域（ＲＥＳ１（３４））に制御用のフレームであることを示す値が格納されており、ＤＡＴＡ（２６）のＥｔｈｅｒＴｙｐｅ（４３）に制御用フレームであることを示す値が格納されているときに、制御部３は、ＤＡＴＡ（２６）に含まれる制御データに基づく制御命令を実行するようにされている。
【００９９】
これにより、スイッチングハブ１が制御用８０２．１ａｈフレームを受信したときに、これを認識し、制御用８０２．１ａｈフレームのＤＡＴＡ（２６）に含まれる制御データに基づく制御命令を実行することが可能となる。
【０１００】
つまり、ＩＥＥＥ８０２．１ａｈの機能を有したスイッチングハブ１においても、制御用フレームを用いた制御を行うことが可能となる。
【０１０１】
また、ＲＥＳ１（３４）とＥｔｈｅｒＴｙｐｅ（４３）の２つの領域を判断基準として用いることで、今後、ＲＥＳ１（３４）の領域が何らかの用途で用いられるようになった場合でも、スイッチングハブ１の誤作動を防ぐことが可能となる。
【０１０２】
また、本実施形態では、フレーム生成部７は、制御用８０２．１ａｈフレームを直接生成する機能を備えている。これにより、例えば、スイッチングハブ１がＰＢＢ網内の回線に障害が発生したことを検知した場合などに、自ら制御用８０２．１ａｈフレームを生成してＰＢＢ網内の他のスイッチングハブに送信することが可能となる。
【０１０３】
さらに、本実施形態では、受信した制御用８０２．１ａｈフレームをＰＢＢ網の他のスイッチングハブに転送するポートがないときに、当該制御用８０２．１ａｈフレームを解析部５で破棄している。
【０１０４】
制御用８０２．１ａｈフレームをＰＢ網のスイッチングハブに転送してしまうと、当該ＰＢ網のスイッチングハブは制御用８０２．１ａｈフレームを認識しないため、誤作動をするおそれがある。
【０１０５】
そこで、解析部５にて、制御用８０２．１ａｈフレームを示すＲＥＳ１（３４）に１が設定されていることを参照すると、ＰＢＢ網の他のスイッチングハブに送信するポートがない場合、当該制御用８０２．１ａｈフレームを制御部３内の解析部５にて破棄することにより、ＰＢ網への転送を抑制できる。よって、制御用８０２．１ａｈフレームをＰＢ網に転送することなく、破棄することが可能となり、ＰＢ網に影響を与えてしまうことを抑制できる。
【０１０６】
上記実施形態では、Ｉ−ＴＡＧ（２５）のＲＥＳ１（３４）の領域に制御用フレームであることを示す値を格納したが、これに限られず、例えば、ＩＥＥＥ８０２．１ａｈの規格が修正されて、ＲＥＳ２（３５）の領域に値が設定されていても、受信時に８０２．１ａｈフレームがスイッチングハブにて破棄されなくなった場合には、このＲＥＳ２（３５）の領域に、制御用フレームであることを示す値を格納するようにしてもよい。
【０１０７】
また、ＦＤＢ９の再学習を指定するパラメータとして、ＭＡＣアドレス以外にＶＬＡＮなども指定可能としてもよい。この場合のクライアントデータ（４４）の構成を図１０に示す。
【０１０８】
図１０に示すように、クライアントデータ（４４）のＯＰ＿ＣＯＤＥ（５１）には、０ｘ２の値を格納する。また、ＤＥＩ（５２）に１を格納することにより、ＰＢＢ網のエッジスイッチがＰＢ網へ転送せずに破棄するモードに設定する。この場合、ＯＰ＿ＣＯＤＥ毎のデータ（５３）は、命令個数（１０１）、ＶＬＡＮ＿ＩＤ（１０２）、連続個数（１０３）などの領域を備えており、そのＶＬＡＮ＿ＩＤ（１０２）の領域に、ＦＤＢ９の再学習の対象となるＶＬＡＮ＿ＩＤを格納するようにすればよい。
【０１０９】
上記実施形態では、制御用フレームが冗長化プロトコルにおける再学習フレームである場合を説明したが、これに限定されず、様々な制御用フレームを取り扱うことが可能である。
【０１１０】
また、スイッチングハブ１にて制御用８０２．１ａｈフレームを直接生成する場合、任意の装置への制御メッセージを作成可能としたり、目的に応じて８０２．１ａｈフレームにおけるＥｔｈｅｒＴｙｐｅ（４３）とクライアントデータ（４４）の領域を適宜設定することで、様々な制御用８０２．１ａｈフレームを作成できるようにしてもよい。
【符号の説明】
【０１１１】
１  スイッチングハブ
２  ポート
３  制御部
５  解析部
６  ＦＤＢアクセス部
７  フレーム生成部
８  転送部
９  ＦＤＢ
１０  プロトコル設定保持部
【図１】
2011003968.tif 000003
【図２】
2011003968.tif 000004
【図３】
2011003968.tif 000005
【図４】
2011003968.tif 000006
【図５】
2011003968.tif 000007
【図６】
2011003968.tif 000008
【図７】
2011003968.tif 000009
【図８】
2011003968.tif 000010
【図９】
2011003968.tif 000011
【図１０】
2011003968.tif 000012